(57)【要約】      （修正有）【課題】建物等のコーナの部分に設置されるコーナシンクを提供する。【解決手段】コーナシンク１００は、まずコーナ部に嵌め込む立方向の部材１ａと、横方向の部材１ｂとからなるＬ型の凹部１と、この立方向の部材１ａの端部（上端部）から水平に伸延する水平縁部２と、横方向の部材１ｂの端部（水平端部）から垂直に伸延する垂直縁部３と、水平縁部２と垂直縁部３との夫々の端部を連結するアール状のアール縁部４等から外観が形成されている。勿論Ｌ型の凹部１の上部にも夫々縁部が形成されている。これ等のＬ型の凹部１や水平縁部２や垂直縁部３やアール縁部４から最低面５の排水口６に向かって夫々傾斜面が形成されている。ライニング側からは２本の水洗８、８が突出して形成されている。【選択図】図１
0003227861.tif 000002
【実用新案登録請求の範囲】
【請求項１】
建物の壁等のコーナ部に嵌り込んで設けられるシンクであって、該シンクは前記コーナ部に嵌り込むＬ型の凹部と該凹部の立方向の部材の端部から水平に伸延する水平縁部と前記凹部の横方向の部材の端部から垂直に伸延する垂直縁部と前記水平縁部の端部と垂直縁部との端部を連結するアール状のアール縁部と各縁部から下方に向かって傾斜して傾斜端に向かう傾斜面と前記傾斜端に開口形成される排出口とから形成されることを特徴とするコーナシンク。
【考案の詳細な説明】
【技術分野】
【０００１】  本考案は、建物等のコーナ部に嵌め込むＬ型の凹部を有するシンクであって、通常使用されているストレートシンクに当接するか又はこれ等とは別に設けられるコーナシンクに関する。
【背景技術】
【０００２】  通常においてシンクと言えばストレートシンクであり、全体の平面形状としては矩形型状のものが用いられている。この矩形型状のシンクは通常ストレートシンクと称されてその一面を壁型に当接して設けられるものであり後に図２や図３に示すように壁側から水平に流し口が１本又は２本設けられているものである。
【先行技術文献】
【特許文献】
【０００３】
【特許文献１】実用新案登録第３０３６８０６号（図２）  この実用新案登録番号第３０３６８０６号に示す洗面化粧台は通常使用される形状の矩形型のものであり、以下に説明するコーナシンクとは大きく相違するものである。また、考案者の調査によると本考案の如きコーナシンクについては公知技術は見当らない。
【考案の概要】
【考案が解決しようとする課題】
【０００４】  前記のように建物等のコーナ部には今迄、シンクを設けたものはなかったが、この部分は空隙区間であってシンクを設けても全く不都合ではない。そればかりかこのコーナ部にシンクがあれば後に説明するように極めて便利であり、かつストレートシンクが有していない特徴を有するものである。
本考案の出願人はシンクのメーカであり、各種のシンクを設計及び取り付けていた長い経験から壁部等のコーナにシンクを設けることが便利であることを発見し以下に示すコーナシンクを出願し作成し、現場に取り付けることを考え、ここにコーナシンクの出願をする事を目的としたものである。
【課題を解決するための手段】
【０００５】  本考案は、以上の目的を達成するために、請求項１の考案は建物の壁等のコーナ部に嵌り込んで設けられるシンクであって、該シンクは前記コーナ部に嵌り込むＬ型の凹部と該凹部の立方向の部材の端部から水平に伸延する水平縁部と前記凹部の横方向の部材の端部から垂直に伸延する垂直縁部と前記水平縁部の端部と垂直縁部との端部を連結するアール状のアール縁部と各縁部から下方に向かって傾斜して傾斜端に向かう傾斜面と前記傾斜端に開口形成される排出口とから形成されることを特徴とする。
【考案の効果】
【０００６】  本考案の請求項１のコーナシンクによれば、建物等の空いているコーナにシンクを取り付ける事が出来るため、シンクの使用者としては多人類の人がストレートシンクのみの場合に較べて同時に使用が可能となり便利性が向上する。また、コーナシンクはストレートシンクよりも手元近くに水洗を設ける事が出来、水洗がより容易に出来て便利である。
【図面の簡単な説明】
【０００７】
【図１】  本考案のコーナシンクの全体形状を示す平面図。
【図２】  本考案のコーナシンクをＬ型ライニングのある建物等のコーナに設けた状態を示す平面図。
【図３】  本考案のコーナシンクをストレートライニングの建物等のコーナに設けた一例を示す平面図。
【図４】  本考案のコーナシンクの使用状態を示す模式的断面図。
【考案を実施するための形態】
【０００８】  以下、本考案のコーナシンクの実施の形態を図面を参照して詳述する。
【０００９】  図１は建物等のコーナ部に設けられているライニングに取り付けたコーナシンク１００を示す平面図である。コーナシンク１００は、まずコーナ部に嵌め込む立方向の部材１ａと、横方向の部材１ｂとからなるＬ型の凹部１と、この立方向の部材１ａの端部（上端部）から水平に伸延する水平縁部２と、横方向の部材１ｂの端部（水平端部）から垂直に伸延する垂直縁部３と、水平縁部２と垂直縁部３との夫々の端部を連結するアール状のアール縁部４等から外観が形成されている。勿論Ｌ型の凹部１の上部にも夫々縁部が形成されている。これ等のＬ型の凹部１や水平縁部２や垂直縁部３やアール縁部４から図４に示すように最低面５の排水口６に向かって夫々傾斜面７が形成されている。なお、ライニング側からは２本の水洗８，８が突出して形成されている。この水洗８，８の内のＬ型の凹部１の横方向の部材１ｂの方向からのものは、その水洗８の出口が横方向の部材１ｂの近傍に配置でき、手洗い等が便利に出来るメリットがある。
【００１０】  図２は建物９の端部に沿って配置されたＬ型ライニング１０に取り付けられたコーナシンク１００と従来のストレートシンク２００を夫々示すものである。建物９のコーナの部分が有効に使用されている様子が解る。
【００１１】  図３は建物９の端部に沿って配置されているストレートライニング１１に取り付けられたコーナシンク１００と従来のストレートシンク２００の配置を示すものである。この場合も建物９のコーナの部分が有効に使用されている状態が解る。
【００１２】  図４は以上において説明したコーナシンク１００の使用状態を示す模式図である。車椅子１２に座った使用者１３がコーナシンク１００を使用している状態を示すものである。なお、使用者１３はストレートシンク２００においても図４に示す状態でシンクを使用することになるが今迄は建物９のコーナにはシンクがなく、それに比較してより多数の使用者１３が同時に水洗を行うことが出来ると共にコーナシンク１００はストレートシンク２００に較べて水洗等がより容易に出来るメリットがある事は勿論である。
【００１３】  以上に説明したコーナシンク１００は如何なる形状の建物等においても設置可能であり広く使用することが出来る。
【００１４】  本考案のコーナシンク１００は以上の説明の内容のものであるが、その構造等は前記の内容に限定されるものでなく技術的範疇のものが適用されることは勿論である。
【産業上の利用可能性】
【００１５】  前記のように、このコーナシンク１００はコーナのある建物等の全てに適用可能であり、その利用範囲は極めて広い。
【符号の説明】
【００１６】１      Ｌ型の凹部
１ａ    立方向の部材
１ｂ    横方向の部材
２      水平縁部
３      垂直縁部
４      アール縁部
５      最低面
６      排水口
７      傾斜面
８      水洗
９      建物
１０    Ｌ型ライニング
１１    ストレートライニング
１２    車椅子
１３    使用者
１００  コーナシンク
２００  ストレートシンク
【図１】
0003227861.tif 000003
【図２】
0003227861.tif 000004
【図３】
0003227861.tif 000005
【図４】
0003227861.tif 000006